(57)【要約】【課題】操作面の輝度および視認性を向上させた押しボタン装置およびこれを用いた電話装置の提供。【解決手段】ＬＥＤ３からの光を透過する導光部７が形成されたラバースイッチ４と、ラバースイッチ４の導光部７の光導出面７ａから外壁面８ｂの一部までを覆うように形成された樹脂ボタン５とを有し、導光部７は、ＬＥＤ３からの光を樹脂ボタンの操作面の一部に集中して導く形状とし、光源からの光がキーパッド部材の導光部から押しボタン部材の操作面の一部に集中的に導かれ、操作面の一部を集中して照らし、その部分の輝度を増すことができるので、この操作面の視認性を向上させることができる。【選択図】図４
2006302555.tif 000002
【特許請求の範囲】
【請求項１】
光源からの光を透過する導光部が形成されたキーパッド部材と、
同キーパッド部材の導光部の光導出面から外壁面の一部までを覆うように形成された押しボタン部材とを有し、
前記導光部は、前記光源からの光を前記押しボタン部材の操作面の一部に導く形状としたことを特徴とする押しボタン装置。
【請求項２】
前記押しボタン部材の操作面には当該押しボタン部材の機能を表示するためのマークが形成され、
前記導光部の光導出面は、前記マークが形成された部分と同じ大きさに形成したことを特徴とする請求項１記載の押しボタン装置。
【請求項３】
前記導光部は、透明の樹脂材料により形成されたものである請求項１または２に記載の押しボタン装置。
【請求項４】
前記押しボタン部材は、前記キーパッド部材の導光部に対峙する部分の厚さが２〜３ｍｍである請求項１から３のいずれかに記載の押しボタン装置。
【請求項５】
前記キーパッド部材は、前記キーパッド部材の一部の変形により対向する接点と接触可能となる接点部を有する請求項１記載の押しボタン装置。
【請求項６】
前記光源は、前記導後部の光導出面に対向するように配置した請求項１記載の押しボタン装置。
【請求項７】
請求項１から６のいずれか１項記載の押しボタン装置を備えた電話装置。
【発明の詳細な説明】
【技術分野】
【０００１】
本発明は、内部に設けた光源により押しボタン部材の操作面を光らせる構造を有する押しボタン装置およびこれを用いた電話装置に関する。
【背景技術】
【０００２】
例えば、押しボタン式の電話装置においては、夜間時の操作性や意匠の向上等を図るため、押しボタン部材を内部に設けた光源により光らせる、いわゆるバックライト構造が採用されている。従来、このバックライト構造は、各押しボタン部材を透明または半透明の合成樹脂材料により形成し、この押しボタン部材に対応して装置のプリント基板側にＬＥＤ等の光源を配置し、この光源からの光を押しボタン部材の内部を透過させて操作面を光らせる構成である。例えば、特許文献１には、押しボタン部材の下に導光空間部を備えたキーパッド部材を設け、光源からの光を導光空間部により押しボタン部材の下面まで導く構成が記載されている。
【特許文献１】特開平７−７４８１１号公報
【発明の開示】
【発明が解決しようとする課題】
【０００３】
ところで、従来のバックライト構造では、光源から押しボタン部材の天面までの高さが高い場合、光源からの光が拡散してしまうので、押しボタン部材全体がぼんやりと光り、輝度や視認性が不足するという問題がある。特許文献１に記載の押しボタン装置の場合も、光源からの光を導光空間部により押しボタン部材の下面まで導いているものの、押しボタン装置の天面の全体に光が導かれるので、同様に押しボタン部材全体がぼんやりと光るという問題がある。
【０００４】
また、特許文献１に記載の押しボタン装置では、光源からの光を導光空間部により押しボタン部材の下面まで導いているものの、光は押しボタン部材の下面とキーパッド部材との間の隙間や、押しボタン部材のフランジ部を透過して装置内部に漏れるので、輝度が不足するという問題がある。
【０００５】
そこで、本発明は、操作面の輝度および視認性を向上させた押しボタン装置およびこれを用いた電話装置を提供することを目的とする。
【課題を解決するための手段】
【０００６】
本発明の押しボタン装置は、光源からの光を透過する導光部が形成されたキーパッド部材と、キーパッド部材の導光部の光導出面から外壁面の一部までを覆うように形成された押しボタン部材とを有し、導光部は、光源からの光を押しボタン部材の操作面の一部に集中して導く形状としたことを特徴とする。
【発明の効果】
【０００７】
本発明によれば、光源からの光がキーパッド部材の導光部から押しボタン部材の操作面の一部に集中的に導かれ、操作面の一部を集中して照らし、その部分の輝度を増すことができるので、この操作面の視認性を向上することができる。
【発明を実施するための最良の形態】
【０００８】
本願の第１の発明は、光源からの光を透過する導光部が形成されたキーパッド部材と、キーパッド部材の導光部の光導出面から外壁面の一部までを覆うように形成された押しボタン部材とを有し、導光部は、光源からの光を押しボタン部材の操作面の一部に集中して導く形状としたことを特徴とする押しボタン装置であり、光源からの光がキーパッド部材の導光部から押しボタン部材の操作面の一部に集中的に導かれ、操作面の一部を集中して照らし、その部分の輝度を増すことができるので、この操作面の視認性を向上させることができる。
【０００９】
本願の第２の発明は、押しボタン部材の操作面には押しボタン部材の機能を表示するためのマークが形成され、導光部の光導出面は、マークが形成された部分と同じ大きさに形成されたことを特徴とする押しボタン装置であり、光導出面から導出される光が、押しボタン部材の機能を表示するためのマークが形成された部分に集中的に導かれるので、このマーク部分の輝度および視認性を向上することができる。
【００１０】
本願の第３の発明は、導光部は、透明の樹脂材料により形成されたものである押しボタン装置であり、光源からの光が、透明の樹脂材料により形成された導光部を通じて押しボタン部材の操作面まで導かれる。
【００１１】
本願の第４の発明は、押しボタン部材は、キーパッド部材の導光部に対峙する部分の厚さが２〜３ｍｍである押しボタン装置であり、キーパッド部材の導光部に対峙する部分の厚さを薄くして導光部から導かれる光が透過しやすくなる。また、光導出面を押しボタン部材の操作面の近傍に配置することが可能となるので、押しボタン部材の操作面の輝度が向上する。
【００１２】
本願の第５の発明は、キーパッド部材は、キーパッド部材の一部の変形により対向する接点と接触可能となる接点部を有する押しボタン装置であり、電気接点を有するスイッチとし、電話装置等の電気機器のスイッチとして有用である。
【００１３】
本願の第６の発明は、光源は、導後部の光導出面に対向するように配置した押しボタン装置であり、光源からの光をそのまま光導出面から出力することができ、効率よく光らせることができる。
【００１４】
本願の第７の発明は、上記押しボタン装置を備えた電話装置であり、操作面の輝度および視認性を向上させた電話装置を提供することができる。
【実施例】
【００１５】
以下、本発明の実施の形態について図面を参照して説明する。
【００１６】
図１は本発明の実施の形態における押しボタン装置を備えた電話装置としてのコードレス電話装置本体部の斜視図、図２は図１の押しボタン部分を拡大した平面図、図３はラバースイッチと導光部の構成を示す縦断面図である。図４は図２に示す本実施の形態における押しボタン装置の縦断面図である。図５は図４のキーパッド部材の平面図、図６は図５のキーパッド部材上に押しボタン部材を配置した状態の平面図である。
【００１７】
図１〜図６に示すように、本発明の実施の形態におけるコードレス電話装置は、ＴＡＭ（Ｔｅｌｅｐｈｏｎｅ  Ａｎｓｗｅｒｉｎｇ  Ｍａｃｈｉｎｅ；電話応答装置）機能付き電話装置であり、そのコードレス電話装置本体部１（ハンドセット部は図示していない。）の上面にＴＡＭ機能の操作を行うための押しボタン装置２を備える。
【００１８】
押しボタン装置２は、コードレス電話装置本体部１の内部に配設されたプリント基板１ａ上に実装された光源としてのＬＥＤ（発光ダイオード）３と、このＬＥＤ３上に配設されたキーパッド部材としてのラバースイッチ４と、このラバースイッチ４の上に被せられる押しボタン部材としての樹脂ボタン５とを備える。樹脂ボタン５上には、ＴＡＭ機能を表示するための録音テープマーク６が印刷されている。
【００１９】
ラバースイッチ４は、プリント基板１ａの表面に接触状態で配置される板状部４ａと、ＬＥＤ３からの光を透過する導光部７が形成された弾性変位部４ｂと、弾性変位部４ｂと板状部４ａとを連結する薄肉状に形成された可撓連結部４ｃとから構成される。導光部７は、透明樹脂により録音テープマーク６の形状に合わせて略角柱状に形成されている。導光部７の光導出面７ａは、録音テープマーク６が形成された部分と同じ大きさである。なお、導光部７は全面が鏡面仕上げされている。図３に示すように、ラバースイッチ４に設けられた貫通穴に導光部７が挿入されている。
【００２０】
ラバースイッチ４は、例えばグレー系のシリコンゴム等の弾性樹脂により形成されている。なお、ラバースイッチ４の色は、グレー系に限らず、弾性変位部４ｂの導光部７内を通過する光が外部に漏れない色であれば良い。また、弾性変位部４ｂの内面以外の部分は別の色としても良い。
【００２１】
また、ラバースイッチ４の下面には、プリント基板１ａ上の接点部（図示せず。）と対向する位置に配置された接点部８が設けられている。
【００２２】
樹脂ボタン５は、光を透過する乳白色の透光性樹脂により、ラバースイッチ４の弾性変位部４ｂの導光部７の光導出面７ａを含む天端面８ａから外壁面８ｂの一部までを覆うようにキャップ状に形成されている。樹脂ボタン５の色についても、乳白色に限らず、光を透過する色であれば良い。なお、樹脂ボタン５の導光部７に対峙する部分の厚さは、２〜３ｍｍと薄く形成されている。樹脂ボタン５の下端部はフランジ状に形成されており、ボタンホルダ９によりプリント基板１ａ側に抑えられている。また、ボタンホルダ９上には上蓋１０と化粧パネル１１とが取り付けられている。
【００２３】
上記構成の押しボタン装置２では、ＬＥＤ３からの光がラバースイッチ４の導光部７から樹脂ボタン５の録音テープマーク６が印刷された操作面の一部に集中的に導かれ、この操作面の一部が集中的に照らされる（図２の波線による斜線部参照。）。したがって、この録音テープマーク６部分の輝度が増し、この録音テープマーク６の視認性が向上する。
【００２４】
また、樹脂ボタン５の導光部７に対峙する部分の厚さが２〜３ｍｍと薄く形成して、導光部７の光導出面７ａを化粧パネル１１の表面近傍に配置しているので、ラバースイッチ４の導光部７の光導出面７ａからその面方向に漏れる光は化粧パネル１１の壁面に反射され、樹脂ボタン５の正面側へのみ照射され、樹脂ボタン５が明るく照らされる。
【００２５】
また、樹脂ボタン５は、ラバースイッチ４の導光部７に対峙する部分の厚さが２〜３ｍｍと薄いので、導光部７から導かれる光が透過しやすい。また、これにより、光導出面７ａが樹脂ボタン５の操作面の近傍に配置されることになり、樹脂ボタン５の操作面の輝度が向上している。
【産業上の利用可能性】
【００２６】
本発明は、内部に設けた光源により押しボタン部材の操作面を光らせる構造を有する押しボタン装置およびこれを用いた電話装置として有用である。特に、本発明は、押しボタン部材の一部に集中的に導光することにより操作面の輝度および視認性を向上させた押しボタン装置およびこれを用いた電話装置として好適である。
【図面の簡単な説明】
【００２７】
【図１】本発明の実施の形態における押しボタン装置を備えた電話装置としてのコードレス電話装置本体部の斜視図
【図２】図１の押しボタン部分を拡大した平面図
【図３】ラバースイッチと導光部の構成を示す縦断面図
【図４】図２に示す本実施の形態における押しボタン装置の縦断面図
【図５】図４のキーパッド部材の平面図
【図６】図５のキーパッド部材上に押しボタン部材を配置した状態の平面図
【符号の説明】
【００２８】
１    コードレス電話装置
１ａ    プリント基板
２    押しボタン装置
３    ＬＥＤ
４    ラバースイッチ
４ａ    板状部
４ｂ    弾性変位部
４ｃ    可撓連結部
５    樹脂ボタン
６    録音テープマーク
７    導光部
７ａ    光導出面
８    接点部
８ａ    天端面
８ｂ    外壁面
９    ボタンホルダ
１０    上蓋
１１    化粧パネル
【図１】
2006302555.tif 000003
【図２】
2006302555.tif 000004
【図３】
2006302555.tif 000005
【図４】
2006302555.tif 000006
【図５】
2006302555.tif 000007
【図６】
2006302555.tif 000008